(57)【要約】  【課題】モニタ装置の電源をオフにしても、カメラ付玄関子機の警報表示灯回路を点滅できるようにする。  【解決手段】本発明のセキュリティインターホンシステムは、モニタ装置２に接続されカメラ付玄関子機１から呼出されて通話すると共にセキュリティセンサ４からの警報信号によりモニタ装置２を介してカメラ付玄関子機１の警報表示灯回路１４に警報表示するセキュリティインターホン装置３を備えている。  カメラ付玄関子機はモニタ装置に４線Ｌ１〜Ｌ４で接続され、モニタ装置はセキュリティインターホン装置に３線Ｌ５〜Ｌ７で接続され、また、４線のうち、２線Ｌ３、Ｌ４をカメラ付玄関子機とセキュリティインターホン装置間の呼出・通話用として使用し、他の２線Ｌ１、Ｌ２を警報非発報時はカメラで撮像された映像をモニタ装置へ伝送する映像信号用として使用し、警報発報時は警報表示灯回路への電源供給用として使用するために切り替える切替器２４を備えている。    【選択図】図１
2005191714.tif 000002
【特許請求の範囲】
【請求項１】
玄関に設置され警報表示灯回路（１４）を内蔵するカメラ付玄関子機（１）、居室に設置され前記カメラ付玄関子機で撮像された映像を映し出すモニタ装置（２）、前記モニタ装置に接続され前記カメラ付玄関子機から呼出されて通話すると共にセキュリティセンサ（４）からの警報信号により前記モニタ装置を介して前記カメラ付玄関子機の前記警報表示灯回路に警報表示するセキュリティインターホン装置（３）を備え、
前記カメラ付玄関子機は前記モニタ装置に４線（Ｌ１、Ｌ２、Ｌ３、Ｌ４）で接続され、前記モニタ装置は前記セキュリティインターホン装置に３線（Ｌ５、Ｌ６、Ｌ７）で接続され、
前記４線のうち、２線（Ｌ３、Ｌ４）を前記カメラ付玄関子機と前記セキュリティインターホン装置間の呼出・通話用として使用し、他の２線（Ｌ１、Ｌ２）を警報非発報時は前記カメラで撮像された映像を前記モニタ装置へ伝送する映像信号用として使用し、警報発報時は前記警報表示灯回路への電源供給用として使用するために切り替える切替器（２４）を備えたことを特徴とするセキュリティインターホンシステム。
【請求項２】
前記警報非発報時は映像信号用として使用し、前記警報発報時は前記警報表示灯回路への電源供給用として使用する２線を有極性とし、前記警報非発報時の映像信号の基準電圧と前記警報発報時の前記警報表示灯回路への電源供給の基準電圧を反転させ、前記カメラ付玄関子機での極性判別により前記カメラ付玄関子機のカメラ電源回路（１２）の動作を制御することを特徴とする請求項１記載のセキュリティインターホンシステム。
【請求項３】
前記警報非発報時の映像信号の基準電圧と前記警報発報時の前記警報表示灯回路への電源供給の基準電圧をそれぞれ別個の電圧に設定し、前記カメラ付玄関子機での電圧判別により前記カメラ電源回路の動作を制御することを特徴とする請求項１記載のセキュリティインターホンシステム。
【発明の詳細な説明】
【技術分野】
【０００１】
本発明は、セキュリティインターホンシステムに係わり、特に警報表示灯回路を内蔵するカメラ付玄関子機、カメラ付玄関子機で撮像された映像を映し出すモニタ装置およびセキュリティセンサを備えたセキュリティインターホンシステムに関する。
【背景技術】
【０００２】
従来から、この種のセキュリティインターホンシステムとして、カメラによって撮影した映像信号を接続線に出力するとともに駆動電源を接続線から得るカメラ付玄関子機と、映像信号を入力しカメラ付玄関子機で撮影された映像を映し出すとともにカメラ付玄関子機に電源を供給するモニタ装置と、煙感知器等のセキュリティセンサから警報信号を入力して警報音発生等を行うセキュリティ機能を有するセキュリティインターホン装置とを備えて成るものが知られている（例えば、特許文献１参照）。
【０００３】
ところで、このようなセキュリティインターホンシステムにおいては、カメラ付玄関子機にモニタ装置の電源回路から電源供給を受ける通話・警報音送出回路が内蔵されており、また、モニタ装置に映像信号と通話信号をカメラ付玄関子機への電源に重畳させて送出するための変換回路が内蔵され、この変換回路もモニタ装置の電源回路から電源供給を受けるように構成されている。
【０００４】
従って、従来のセキュリティインターホンシステムにおいては、モニタ装置の電源回路がオフに設定されている場合には、カメラ付玄関子機から警報音が出力されないという難点があった。また、変換回路が必要となるため、部品点数が多くなり、コスト的にも割高になるという難点があった。
【０００５】
【特許文献１】特開平１０−１０８１６７号公報（段落番号「００９」、図１）
【発明の開示】
【発明が解決しようとする課題】
【０００６】
本発明は、上述の難点を解消するためになされたもので、モニタ装置の電源回路がオフに設定されていても、カメラ付玄関子機から警報音発生等を行うことができ、また、部品点数が少なく、小型で、コスト的にも有利なセキュリティインターホンシステムを提供することを目的としている。
【課題を解決するための手段】
【０００７】
本発明の第１の態様であるセキュリティインターホンシステムは、  玄関に設置され警報表示灯回路を内蔵するカメラ付玄関子機、居室に設置されカメラ付玄関子機で撮像された映像を映し出すモニタ装置、モニタ装置に接続されカメラ付玄関子機から呼出されて通話すると共にセキュリティセンサからの警報信号によりモニタ装置を介してカメラ付玄関子機の警報表示灯回路に警報表示するセキュリティインターホン装置を備え、カメラ付玄関子機はモニタ装置に４線で接続され、モニタ装置はセキュリティインターホン装置に３線で接続され、４線のうち、２線をカメラ付玄関子機とセキュリティインターホン装置間の呼出・通話用として使用し、他の２線を警報非発報時はカメラで撮像された映像をモニタ装置へ伝送する映像信号用として使用し、警報発報時は警報表示灯回路への電源供給用として使用するために切り替える切替器を備えたものである。
【０００８】
本発明の第２の態様は、本発明の第１の態様であるセキュリティインターホンシステムにおいて、警報非発報時は映像信号用として使用し、警報発報時は警報表示灯回路への電源供給用として使用する２線を有極性とし、警報非発報時の映像信号の基準電圧と警報発報時の警報表示灯回路への電源供給の基準電圧を反転させ、カメラ付玄関子機での極性判別によりカメラ付玄関子機のカメラ電源回路の動作を制御するものである。
【０００９】
本発明の第３の態様は、本発明の第１の態様であるセキュリティインターホンシステムにおいて、警報非発報時の映像信号の基準電圧と警報発報時の警報表示灯回路への電源供給の基準電圧をそれぞれ別個の電圧に設定し、カメラ付玄関子機での電圧判別によりカメラ電源回路の動作を制御するものである。
【発明の効果】
【００１０】
本発明の第１の態様乃至第３の態様のセキュリティインターホンシステムによれば、モニタ装置に切替器が内蔵されていることから、カメラ付玄関子機とモニタ装置を接続する４線のうち、２線をカメラ付玄関子機とセキュリティインターホン装置間の呼出・通話用として使用し、他の２線を警報非発報時はカメラで撮像された映像をモニタ装置へ伝送する映像信号用として、警報発報時は警報表示灯回路への電源供給用として使用することができる。従って、本発明の第１の態様乃至第３の態様のセキュリティインターホンシステムによれば、モニタ装置の電源回路をオフに設定しても、カメラ付玄関子機から警報音発生等を行うことができ、また、モニタ装置に変換回路が内蔵されていないことから、部品点数が少なく、装置の小型化を図ることができ、さらにはコスト的にも有利になる。
【発明を実施するための最良の形態】
【００１１】
以下、本発明のセキュリティインターホンシステムを適用した実施の形態例について、図面を参照して詳述する。ここで、図１は、本発明のセキュリティインターホンシステムのブロック図を示している。
【００１２】
図１において、本発明のセキュリティインターホンシステムは、玄関に設置され、第１〜第４の子機端子Ｔ１ａ〜Ｔ１ｄを有するカメラ付玄関子機１と、居室に設置され、第１〜第７のモニタ端子Ｔ２ａ〜Ｔ２ｇを有するモニタ装置２と、居室に設置され、第１〜第３の親機端子Ｔ４ａ〜Ｔ４ｃを有するセキュリティインターホン装置３と、セキュリティインターホン装置３の近傍に設置されるセキュリティセンサ４とを備えている。ここで、第１の子機端子Ｔ１ａは第１の線Ｌ１を介して第１のモニタ端子Ｔ２ａに、第２の子機端子Ｔ１ｂは第２の線Ｌ２を介して第２のモニタ端子Ｔ２ｂに、第３の子機端子Ｔ１ｃは第３の線Ｌ３を介して第３のモニタ端子Ｔ２ｃに、第４の子機端子Ｔ１ｄは第４の線Ｌ４を介して第４のモニタ端子Ｔ２ｂに、第５のモニタ端子Ｔ２ｅは第５の線Ｌ５を介して第１の親機端子Ｔ４ａに、第６のモニタ端子Ｔ２ｆは第６の線Ｌ６を介して第２の親機端子Ｔ４ｂに、第７のモニタ端子Ｔ２ｇは第７の線Ｌ７を介して第３の親機端子Ｔ４ｃにそれぞれ接続されている。
【００１３】
カメラ付玄関子機１は、カメラ１１、カメラ電源回路１２、変調回路１３、警報表示灯回路１４、呼出回路１５、子機通話回路１６、子機マイク１７、子機スピーカ１８および第１〜第４のダイオードＤ１〜Ｄ４の各部（回路）を備えている。ここで、第１の子機端子Ｔ１ａは変調回路１３、第２のダイオードＤ２のアノード側および第３のダイオードＤ３のカソード側に接続され、変調回路１３にはカメラ１１およびカメラ電源回路１２が、第２のダイオードＤ２のカソード側にはカメラ電源回路１２を介してカメラ１１が、第３のダイオードＤ３のアノード側には警報表示灯回路１４が接続されている。また、第２の子機端子Ｔ１ｂは変調回路１３、第１のダイオードＤ１のカソード側および第４のダイオードＤ４のアノード側に接続され、第１のダイオードＤ１のアノード側にはカメラ電源回路１２が、第４のダイオードＤ４のカソード側には警報表示灯回路１４が接続されている。さらに、第３、第４の子機端子Ｔ１ｃ、Ｔ１ｄは子機通話回路１６に接続され、子機通話回路１６には呼出回路１５、子機マイク１７および子機スピーカ１８が接続されている。
【００１４】
モニタ装置２は、ＬＣＤ２１、電源回路２２、復調回路２３、切替リレー等から成る切替器２４、呼出・通話検出回路２５、モニタＣＰＵ２６、警報検出回路２７および第１、第２のトランス用コイルＴ１、Ｔ２の各部（回路）を備えている。ここで、切替器２４は第１、第２のコモン接点Ｃ１、Ｃ２、第１、第２のブレーク接点Ｂ１、Ｂ２および第１、第２のメーク接点Ｍ１、Ｍ２を備えており、第１のコモン接点Ｃ１は第１のモニタ端子Ｔ２ａに、第２のコモン接点Ｃ２は第２のモニタ端子Ｔ２ｂに、第１のメーク接点Ｍ１は、復調回路２３および第１のトランス用コイルＴ１を介して電源回路２２に、第２のメーク接点Ｍ２は復調回路２３および第２のトランス用コイルＴ２を介して電源回路２２に、第１のブレーク接点Ｂ１は第４のモニタ端子Ｔ２ｄ、呼出・通話検出回路２５、警報検出回路２７および第７のモニタ端子Ｔ２ｇに、第２のブレーク接点Ｂ２は警報検出回路２７および第５のモニタ端子Ｔ２ｅにそれぞれ接続されている。また、モニタＣＰＵ２６は電源回路２２、切替器２４、呼出・通話検出回路２５および警報検出回路２７に接続され、さらに、第３のモニタ端子Ｔ２ｃは呼出・通話検出回路２５および第６のモニタ端子Ｔ２ｆにそれぞれ接続されている。
【００１５】
セキュリティインターホン装置３は、セキュリティセンサ監視回路３１、警報表示回路３２、親機ＣＰＵ３３、警報音送出回路３４、リレー３５、呼出検出回路３６、親機通話回路３７、親機スピーカ３８および親機マイク３９の各部（回路）を備えている。ここで、親機ＣＰＵ３３はセキュリティセンサ監視回路３１、警報表示回路３２、警報音送出回路３４、リレー３５、呼出検出回路３６、親機通話回路３７および親機スピーカ３８に接続され、セキュリティセンサ監視回路３１にはセキュリティセンサ４が、警報表示回路３２には第１の親機端子Ｔ４ａが、親機通話回路３７には親機スピーカ３８および親機マイク３９がそれぞれ接続されている。また、リレー３５は第３のコモン接点Ｃ３、第３のブレーク接点Ｂ３および第３のメーク接点Ｍ３を備えており、第３のコモン接点Ｃ３には第２の親機端子Ｔ４ｂが、第３のブレーク接点Ｂ３には警報音送出回路３４が、第３のメーク接点Ｍ３には呼出検出回路３６および親機通話回路３７がそれぞれ接続され、呼出検出回路３６および親機通話回路３７には第３の親機端子Ｔ４ｃが接続されている。
【００１６】
次に、このように構成された本発明のセキュリティインターホンシステムの動作について説明する。
【００１７】
まず、待受け時においては、切替器２４の第１のコモン接点Ｃ１が第１のブレーク接点Ｂ１側に、第２のコモン接点Ｃ２が第２のブレーク接点Ｂ２側に、リレー３５の第３のコモン接点Ｃ３が第３のメーク接点Ｍ３側にそれぞれ接続されている。これにより、セキュリティインターホン装置３内の親機電源回路（不図示）から、第１、第３の親機端子Ｔ４ａ、Ｔ４ｃ、第５、第７の線Ｌ５、Ｌ７、第５、第７のモニタ端子Ｔ２ｅ、Ｔ２ｇ、切替器２４、第１、第２のモニタ端子Ｔ２ａ、Ｔ２ｂおよび第１、第２の線Ｌ１、Ｌ２のルート（以下「第１の電源供給ルート」という。）を経由して第１、第２の子機端子Ｔ１ａ、Ｔ１ｂ間に、第１の子機端子Ｔ１ａをプラス側、第２の子機端子Ｔ１ｂをマイナス側とする１２Ｖの電圧が供給され、また、第２、第３の親機端子Ｔ４ｂ、Ｔ４ｃ、第６、第７の線Ｌ６、Ｌ７、第６、第７のモニタ端子Ｔ２ｆ、Ｔ２ｇ、第３、第４のモニタ端子Ｔ２ｃ、Ｔ２ｄおよび第３、第４の線Ｌ３、Ｌ４のルート（以下「呼出・通話ルート」という。）を経由して第３、第４の子機端子Ｔ１ｃ、Ｔ１ｄ間に所定の電圧が供給される。ここで、カメラ付玄関子機１のカメラ電源回路１２は特定の電圧（例えば１８Ｖ程度）で動作し、この電圧より低い電圧（例えば１２Ｖ程度）では動作しないように設定されていることから、上記の待受け時における電圧（１２Ｖ）ではカメラ電源回路１２は動作せず、また、第１の子機端子Ｔ１ａがプラス側、第２の子機端子Ｔ１ｂがマイナス側とされ、第３、第４のダイオードＤ３、Ｄ４に対して逆極性とされていることから警報表示灯回路１４は動作しないことになる。
【００１８】
このような状態において、来訪者がカメラ付玄関子機１の呼出ボタン（不図示）を押下すると、呼出回路１５から呼出信号が出力され、この呼出信号が子機通話回路１６および呼出・通話ルートを経由して呼出検出回路３６に送出される。かかる呼出信号が親機ＣＰＵ３３で検出されると、親機ＣＰＵ３３の制御により、親機スピーカ３８から呼出音が報音される。
【００１９】
また、呼出・通話ルートに送出された呼出信号が呼出・通話検出回路２５で検出されると、モニタＣＰＵ２６により、切替器２４および電源回路２２が制御される。これにより、第１のコモン接点Ｃ１が第１のメーク接点Ｍ１側に、第２のコモン接点Ｃ２が第２のメーク接点Ｍ２側に切り替えられると共に電源回路２２から復調回路２３およびＬＣＤ２１に対して動作電源が供給され、また、第１、第２のトランス用コイルＴ１、Ｔ２、切替器２４、第１、第２のモニタ端子Ｔ２ａ、Ｔ２ｂおよび第１、第２の線Ｌ１、Ｌ２のルート（以下「第２の電源供給ルート」という。）を経由して第１、第２の子機端子Ｔ１ａ、Ｔ１ｂ間に第１の子機端子Ｔ１ａをプラス側、第２の子機端子Ｔ１ｂをマイナス側とする１８Ｖの電圧が供給される。
【００２０】
ここで、第１、第２の子機端子Ｔ１ａ、Ｔ１ｂ間の電圧が１８Ｖに上昇すると、カメラ電源回路１２が動作し、カメラ電源回路１２からカメラ１１および変調回路１３に動作電源が供給される。これにより、カメラ１１によって来訪者の映像が撮像され、撮像された映像は変調回路１３を介してＦＭ変調されたＦＭ映像信号として、第１、第２の子機端子Ｔ１ａ、Ｔ１ｂ、第１、第２の線Ｌ１、Ｌ２、第１、第２のモニタ端子Ｔ２ａ、Ｔ２ｂおよび切替器２４のルートを経由して復調回路２３へ送出される。かかるＦＭ映像信号は、復調回路２３において復調されてブラウン管や液晶装置等から成るＬＣＤ２１へ送出される。これにより、ＬＣＤ２１に来訪者の映像が映し出される。なお、第１、第２の子機端子Ｔ１ａ、Ｔ１ｂ間の電圧が１８Ｖに上昇した場合も、第１の子機端子Ｔ１ａがプラス側、第２の子機端子Ｔ１ｂがマイナス側とされ、第３、第４のダイオードＤ３、Ｄ４に対して逆極性とされていることから、警報表示灯回路１４は前述と同様に動作しないことになる。
【００２１】
ここで、居住者が親機スピーカ３８から報音される呼出音およびＬＣＤ２１に映し出される映像に基づいて来訪者を確認し、ハンドセット（不図示）を取り上げて呼出応答すると、カメラ付玄関子機１の有する通話機能（子機マイク１７および子機スピーカ１８）とセキュリティインターホン装置３の有する通話機能（親機スピーカ３８および親機マイク３９）との間に呼出・通話ルートを介して通話路が形成される。これにより、居住者は来訪者と通話することができる。また、セキュリティインターホン装置３が通話状態に入ると、セキュリティインターホン装置３から呼出・通話ルートに対して通話信号が送出され、この通話信号が呼出・通話検出回路２５で検出されると、モニタＣＰＵ２６の制御により、通話が終了するまでＬＣＤ２１に来訪者の映像が映し出される。
【００２２】
次に、通話状態において、煙感知器等のセキュリティセンサ４が動作すると、警報信号がセキュリティセンサ監視回路３１へ送出され、かかる警報信号が親機ＣＰＵ３３で検出されると、セキュリティインターホン装置３内の親機電源回路（不図示）から、第１、第３の親機端子Ｔ４ａ、Ｔ４ｃ、第５、第７の線Ｌ５、Ｌ７のルート（以下「第３の電源供給ルート」という。）を経由して第５、第７のモニタ端子Ｔ２ｅ、Ｔ２ｇ間に、第５のモニタ端子Ｔ２ｅをプラス側、第７のモニタ端子Ｔ２ｇをマイナス側とする１２Ｖの電圧が供給される。また、これと共に、親機ＣＰＵ３３から警報表示信号および警報音信号が出力され、前者の警報表示信号が警報表示回路３２へ、後者の警報音信号が警報音送出回路３４へそれぞれ送出され、さらに、親機ＣＰＵ３３の制御によりリレー３５の第３のコモン接点Ｃ３が第３のブレーク接点Ｂ３側に切り替えられる。
【００２３】
これにより、警報音送出回路３４から出力される警報音信号は、リレー３５および呼出・通話ルートを経由して子機スピーカ１８へ送出され、子機スピーカ１８から警報音が報音される。
【００２４】
また、第５、第７のモニタ端子Ｔ２ｅ、Ｔ２ｇ間の電圧が警報検出回路２７で検出されると、モニタＣＰＵ２６の制御により切替器４の第１のコモン接点Ｃ１が第１のブレーク接点Ｂ１側に、第２のコモン接点Ｃ２が第２のブレーク接点Ｂ２側に切り替えられる。これにより、第５、第７のモニタ端子Ｔ２ｅ、Ｔ２ｇ間に供給された電圧が切替器２４、第１、第２のモニタ端子Ｔ２ａ、Ｔ２ｂおよび第１、第２の線Ｌ１、Ｌ２のルートを経由して第１、第２の子機端子Ｔ１ａ、Ｔ１ｂ間に第１の子機端子Ｔ１ａをマイナス側、第２の子機端子Ｔ１ｂをプラス側とする１２Ｖの電圧が供給される。ここで、第１、第２の子機端子Ｔ１ａ、Ｔ１ｂ間の電圧は１２Ｖであるから、カメラ電源回路１２が動作せず、また、第１の子機端子Ｔ１ａがマイナス側、第２の子機端子Ｔ１ｂがプラス側であるから警報表示灯回路１４が動作することになる。従って、警報表示回路３２から送出される警報表示信号は第１の電源供給ルートを経由して警報表示灯回路１４へ送出され、これにより、警報表示灯回路１４を構成する警報表示灯（不図示）が点滅し、外部に対して異常発生が報知される。
【００２５】
次に、待受け状態において、セキュリティセンサ４が動作すると、前述と同様に、警報信号がセキュリティセンサ監視回路３１へ送出され、かかる警報信号が親機ＣＰＵ３３で検出されると、セキュリティインターホン装置３内の親機電源回路から、第１の電源供給ルートを経由して第１、第２の子機端子Ｔ１ａ、Ｔ１ｂ間に第１の子機端子Ｔ１ａをマイナス側、第２の子機端子Ｔ１ｂをプラス側とする電圧が供給される。ここで、第１、第２の子機端子Ｔ１ａ、Ｔ１ｂ間の電圧が待受け電圧よりも大きく、かつカメラ電源回路１２の動作電圧よりも小さく、さらに待受け電圧と逆極性の電圧であれば、警報表示灯回路１４が動作しカメラ電源回路１２は動作しないことになる。従って、前述と同様に、警報表示回路３２から送出される警報表示信号は第１の電源供給ルートを経由して警報表示灯回路１４へ送出され、これにより、警報表示灯回路１４を構成する警報表示灯が点滅し、子機スピーカ１８から警報音が報音される。
【００２６】
以上のように、前述の実施例においては、モニタ装置２に切替器２４が内蔵されていることから、カメラ付玄関子機１とモニタ装置２を接続する４線Ｌ１〜Ｌ４のうち、２線Ｌ３、Ｌ４をカメラ付玄関子機１とセキュリティインターホン装置３間の呼出・通話用として使用し、他の２線Ｌ１、Ｌ２を警報非発報時はカメラ１１で撮像された映像をモニタ装置２へ伝送する映像信号用として、警報発報時は警報表示灯回路１４への電源供給用として使用することができる。
【産業上の利用可能性】
【００２７】
なお、前述の実施例においては、警報発報時は警報表示灯回路１４への電源供給用として使用する第１、第２の線Ｌ１、Ｌ２を有極性とし、警報非発報時の映像信号の基準電圧と警報発報時の警報表示灯回路１４への電源供給の基準電圧を反転させ、カメラ付玄関子機１での極性判別によりカメラ電源回路１２の動作を制御しているが、警報非発報時の映像信号の基準電圧のみでカメラ電源回路１２の動作を制御し、若しくは警報非発報時の映像信号の基準電圧の反転のみで、カメラ電源回路１２の動作を制御するようにしてもよい。
【図面の簡単な説明】
【００２８】
【図１】本発明のセキュリティインターホンシステムの一例を示すブロック図。
【符号の説明】
【００２９】
１・・・カメラ付玄関子機
１２・・・カメラ電源回路
１４・・・警報表示灯回路
２・・・モニタ装置
２４・・・切替器
３・・・セキュリティインターホン装置
４・・・セキュリティセンサ
Ｌ１〜Ｌ７・・・第１〜第７の線
【図１】
2005191714.tif 000003